(57)【特許請求の範囲】
【請求項１】
側板と、
この側板の端部に位置するとともに、この側板の外部に排出するように移送されてくるラベル片を貼り付け可能とする貼付けローラーと、
この貼付けローラーの上流側に位置して、前記ラベル片を仮保持可能なラベル受け部材と、を有する携帯式ラベル貼付け機におけるラベル貼付け装置であって、
前記ラベル受け部材はこれを、回転可能なラベル受けローラーとするとともに、
このラベル受けローラーと前記貼付けローラーとを連動し、前記貼付けローラーの回転を前記ラベル受けローラーに伝達可能として、前記ラベル片をその仮保持位置より前記側板の外部に排出可能としていることを特徴とする携帯式ラベル貼付け機におけるラベル貼付け装置。
【請求項２】
前記ラベル受けローラーと前記貼付けローラーとは、ギアによりこれを連動させることを特徴とする請求項１記載の携帯式ラベル貼付け機におけるラベル貼付け装置。
【請求項３】
前記ラベル受けローラーと前記貼付けローラーとは、摩擦ローラーによりこれを連動させることを特徴とする請求項１記載の携帯式ラベル貼付け機におけるラベル貼付け装置。
【請求項４】
前記ラベル受けローラーは、前記ラベル片の上流側端部を仮保持しているとともに、前記ラベル片の下流側端部を前記貼付けローラーの下方部に位置可能であることを特徴とする請求項１ないし３のいずれかに記載の携帯式ラベル貼付け機におけるラベル貼付け装置。
【請求項５】
側板と、
この側板の端部に位置するとともに、この側板の外部に排出するように移送されてくるラベル片を貼り付け可能とする貼付けローラーと、
この貼付けローラーの上流側に位置して、前記ラベル片を仮保持可能なラベル受け部材と、を有する携帯式ラベル貼付け機におけるラベル貼付け方法であって、
前記ラベル受け部材はこれを、回転可能なラベル受けローラーとするとともに、
このラベル受けローラーと前記貼付けローラーとを連動し、前記貼付けローラーの回転を前記ラベル受けローラーに伝達して、前記ラベル片をその仮保持位置より前記側板の外部に排出し、
前記貼付けローラーにより前記ラベル片を貼り付けることを特徴とする携帯式ラベル貼付け機におけるラベル貼付け方法。
【発明の詳細な説明】
【技術分野】
【０００１】
本発明は携帯式ラベル貼付け機におけるラベル貼付け装置およびラベル貼付け方法にかかるもので、とくに帯状のラベルを装填して移送し、所望の被貼付け体に貼付け操作を行ってこのラベルを貼り付けるための携帯式ラベル貼付け機におけるラベル貼付け装置およびラベル貼付け方法に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機１の一例を図４および図５にもとづき概説する。
図４は、従来の携帯式ラベル貼付け機１の側面図であって、携帯式ラベル貼付け機１は、左右（紙面表裏）一対の側板２と、ラベル３の保持部４と、操作レバー５と、移送部６と、印字部７と、剥離部８と、貼付け部９と、を有する。
【０００３】
左右一対の側板２は、操作者が握持可能なグリップ１０を一体に形成するとともに、このグリップ１０に対してレバー軸１１のまわりに操作レバー５を回動操作可能としている。
なお、操作レバー５とグリップ１０との間には、任意の付勢部材、たとえばコイルスプリング１２を設けて、操作レバー５をグリップ１０に対して、図４に示すような常時（操作レバー５の解放時）離反状態に付勢可能としている。
操作者は、コイルスプリング１２の付勢力に抗してグリップ１０および操作レバー５を握持して携帯式ラベル貼付け機１内の移送部６、印字部７および剥離部８を駆動するとともに、この握持操作を解放後、携帯式ラベル貼付け機１によるラベル３の貼付け操作を行うことになる。
【０００４】
ラベル３は、帯状の台紙１３に複数枚のラベル片１４を仮着したもので、これをロール状に巻いて保持部４に保持するとともに、操作レバー５の操作にともなって、移送部６により印字部７方向にラベル３を帯状に繰り出し、剥離部８で台紙１３からラベル片１４を剥離し、貼付け部９によりラベル片１４を被貼付け体Ｍ（図５）に貼り付け可能とする。
【０００５】
保持部４は、左右一対の側板２の上面に左右（紙面表裏）一対の保持板１５を取り付けてあり、いずれか一方の保持板１５をいずれかの側板２に対して回動ないし開放可能として、左右一対の保持板１５の間にロール状のラベル３を保持可能としてある。
【０００６】
移送部６は、ローラー軸１６のまわりに回転する移送ローラー１７を有し、操作レバー５をグリップ１０とともに握持および解放することにより、リンク機構（図示せず）を介してローラー軸１６のまわりに移送ローラー１７を所定ピッチだけ回転してラベル３を移送可能とする。
【０００７】
印字部７は、操作レバー５における二股状のヨーク部５Ａの先端部側に取り付けた印字器１８と、ローラー軸１６のまわりに回動開放可能としたプラテン１９と、インキローラー２０と、を有し、インキローラー２０により印字器１８の活字にインキを塗布し、プラテン１９の上面に移送されてきたラベル３（ラベル片１４）に所定の情報を印字する。
【０００８】
図５は、一方の側板２を取り除いた状態の剥離部８および貼付け部９の要部拡大側面図であって、剥離部８は、プラテン１９の下流側円弧部を剥離用転向稜１９Ａとし、移送部６によるラベル３の移送にともなって剥離用転向稜１９Ａにおいて台紙１３のみを後方に転向させ、ラベル片１４を台紙１３から剥離する。
剥離部８においてラベル片１４を剥離された台紙１３は、移送ローラー１７に再度係合したのち、側板２の外部に排出される。
【０００９】
貼付け部９は、剥離用転向稜１９Ａの下流側に位置するラベル受けピン２１（ラベル受け部材）と、さらにこのラベル受けピン２１の下流側において側板２の先端下方部に位置する貼付けローラー２２と、を有する。貼付けローラー２２は、ローラー軸２３のまわりに回転可能である。
ラベル受けピン２１は、貼付けローラー２２の上流側に位置してこれを側板２に固定し、ラベル片１４を仮保持可能とするもので、台紙１３が剥離用転向稜１９Ａの部分で転向することにより台紙１３から剥離してくるラベル片１４を仮保持しておき、携帯式ラベル貼付け機１全体の貼付け操作にともなって、貼付けローラー２２によるラベル片１４の被貼付け体Ｍへの貼付け動作を保証する。
すなわち、貼付けローラー２２は、側板２の端部（図４中、左端下方端部）に位置するとともに、その円周部が側板２の外部に露出しており、側板２の外部に排出するように移送されてくるラベル片１４を貼り付け可能とするもので、貼付けローラー２２を被貼付け体Ｍに打ち付けるようにして回転させることにより、ラベル片１４を被貼付け体Ｍに貼り付け可能とする。
【００１０】
なお、ラベル受け部材としては、上記ピン部材（ラベル受けピン２１）以外にも、断面三角形状のラベル受け片を採用することもある。
【００１１】
こうした構成の携帯式ラベル貼付け機１において、とくに図５に示すように、ラベル受けピン２１に仮保持されているとともに貼付けローラー２２の下方部に位置している状態のラベル片１４の側板２からの外部への露出長さが長いほど、その貼付け操作は容易である。
また、ラベル片１４の裏面側の粘着剤層が下方を向いた状態で、側板２の底面とラベル片１４の表面側とがなす角度が９０度以内であることも必要である。
さらに、ラベル片１４が貼付けローラー２２により被貼付け体Ｍに貼り付けることができる携帯式ラベル貼付け機１の底面の被貼付け体Ｍに対する角度範囲、すなわち、ラベル片１４を貼り付けることができる角度範囲（貼付け角度）が大きいほど貼付け操作が行いやすい携帯式ラベル貼付け機１と言える。
【００１２】
しかしながら、とくにラベル片１４の長さ（その移送方向におけるピッチ）が小さいときなどには、側板２から貼付けローラー２２の下方部に飛び出しているラベル片１４の長さが短くなるため、ラベル片１４を貼り付けることができる角度範囲が小さくなってしまうという問題がある。
【００１３】
なおまた、あらかじめ販売促進情報や広告情報などを印刷したラベル３を貼り付ける際には、印字部７を設けず、操作レバー５の操作のみで、ラベル３（ラベル片１４）を剥離して貼り付けることができるが、このように構成した携帯式ラベル貼付け機の場合であっても、台紙１３からのラベル片１４の排出およびその貼付けについては同様の問題がある。
さらに、台紙１３を設けずに、ラベル基材の裏面に粘着剤層を設けるとともに、その表面に剥離性を持たせた、いわゆる台紙なしラベルを貼り付ける場合にも、上述を同様の問題がある。
【先行技術文献】
【特許文献】
【００１４】
【特許文献１】特開昭５７−５５８４４号公報
【発明の概要】
【発明が解決しようとする課題】
【００１５】
本発明は以上のような諸問題にかんがみなされたもので、ラベル片の長さないしピッチによらず、広範囲の貼付け角度を得ることができる携帯式ラベル貼付け機におけるラベル貼付け装置およびラベル貼付け方法を提供することを課題とする。
【００１６】
また本発明は、側板の外部に露出するラベル片の長さをできるだけ大きくし、貼付けローラーによってラベル片を貼り付け易くした携帯式ラベル貼付け機におけるラベル貼付け装置およびラベル貼付け方法を提供することを課題とする。
【００１７】
また本発明は、台紙の有る無しなどラベルの種類によらずに、安定してラベル片を貼り付け可能とした携帯式ラベル貼付け機におけるラベル貼付け装置およびラベル貼付け方法を提供することを課題とする。
【００１８】
また本発明は、貼付けローラーによる貼付け操作によりラベル片自体を側板の外部に排出させることできるようにした携帯式ラベル貼付け機におけるラベル貼付け装置およびラベル貼付け方法を提供することを課題とする。
【課題を解決するための手段】
【００１９】
すなわち本発明は、ラベル受け部材を貼付けローラーの回転に連動させることに着目したもので、第一の発明は、側板と、この側板の端部に位置するとともに、この側板の外部に排出するように移送されてくるラベル片を貼り付け可能とする貼付けローラーと、この貼付けローラーの上流側に位置して、上記ラベル片を仮保持可能なラベル受け部材と、を有する携帯式ラベル貼付け機におけるラベル貼付け装置であって、上記ラベル受け部材はこれを、回転可能なラベル受けローラーとするとともに、このラベル受けローラーと上記貼付けローラーとを連動し、上記貼付けローラーの回転を上記ラベル受けローラーに伝達可能として、上記ラベル片をその仮保持位置より上記側板の外部に排出可能としていることを特徴とする携帯式ラベル貼付け機におけるラベル貼付け装置である。
【００２０】
第二の発明は、側板と、この側板の端部に位置するとともに、この側板の外部に排出するように移送されてくるラベル片を貼り付け可能とする貼付けローラーと、この貼付けローラーの上流側に位置して、上記ラベル片を仮保持可能なラベル受け部材と、を有する携帯式ラベル貼付け機におけるラベル貼付け方法であって、上記ラベル受け部材はこれを、回転可能なラベル受けローラーとするとともに、このラベル受けローラーと上記貼付けローラーとを連動し、上記貼付けローラーの回転を上記ラベル受けローラーに伝達して、上記ラベル片をその仮保持位置より上記側板の外部に排出し、上記貼付けローラーにより上記ラベル片を貼り付けることを特徴とする携帯式ラベル貼付け機におけるラベル貼付け方法である。
【００２１】
上記ラベル受けローラーと上記貼付けローラーとは、ギアによりこれを連動させることができる。
【００２２】
上記ラベル受けローラーと上記貼付けローラーとは、摩擦ローラーによりこれを連動させることができる。
【００２３】
上記ラベル受けローラーは、上記ラベル片の上流側端部を仮保持しているとともに、上記ラベル片の下流側端部を上記貼付けローラーの下方部に位置可能であることができる。
【００２４】
上記ラベルは、帯状の台紙（剥離紙）に複数枚のラベル片を仮着した構成の場合、あるいは、この台紙を持たない台紙なしラベルの構成であってもよい。
【発明の効果】
【００２５】
本発明による携帯式ラベル貼付け機におけるラベル貼付け装置およびラベル貼付け方法においては、ラベル受け部材として、側板に固定的なピン部材や片部材ではなく、回転可能なラベル受けローラーを採用し、このラベル受けローラーと貼付けローラーとを連動し、貼付けローラーの回転をラベル受けローラーに伝達可能として、ラベル片をその仮保持位置より側板の外部に排出させるようにしたので、貼付けローラーによる貼付け操作に連動して、ラベル片を側板の外部に所定の長さ分だけ露出させる長さを大きくすることができる。
【００２６】
とくに第一の発明の携帯式ラベル貼付け機におけるラベル貼付け装置によれば、ラベル受けローラーと貼付けローラーとを連動し、貼付けローラーの回転をラベル受けローラーに伝達可能として、ラベル片をその仮保持位置より側板の外部に排出可能としているため、ラベル片の飛出し長さをより長くすることができ、貼付けローラーによる貼り付け可能な角度の範囲を拡大して、ラベルピッチによらず、安定した貼付け操作を可能とする。
【００２７】
とくに第二の発明の携帯式ラベル貼付け機におけるラベル貼付け方法によれば、ラベル受けローラーと貼付けローラーとを連動し、貼付けローラーの回転をラベル受けローラーに伝達して、ラベル片をその仮保持位置より側板の外部に排出するため、ラベルピッチによらず、貼付け操作をより容易に行うことができる。
【図面の簡単な説明】
【００２８】
【図１】携帯式ラベル貼付け機１に装備する本発明の実施例によるラベル貼付け装置３０の要部拡大斜視図である。
【図２】同、要部拡大側面図である。
【図３】同、台紙なしラベル３５を移送して貼り付ける構成に、ラベル貼付け装置３０を応用した例を示す要部拡大側面図である。
【図４】従来の携帯式ラベル貼付け機１の側面図である。
【図５】同、一方の側板２を取り除いた状態の剥離部８および貼付け部９の要部拡大側面図である。
【発明を実施するための形態】
【００２９】
本発明は、ラベル受け部材（ラベル受けローラー）と貼付けローラーとの連動により、側板の外部に排出するラベル片の長さをより長くし、ラベル片のピッチが短くても容易かつ安定した貼付け操作を可能とした携帯式ラベル貼付け機におけるラベル貼付け装置およびラベル貼付け方法を実現した。
【実施例】
【００３０】
つぎに本発明の実施例による携帯式ラベル貼付け機におけるラベル貼付け装置およびラベル貼付け方法を図１および図２にもとづき説明する。ただし、図４および図５と同様の部分には同一符号を付し、その詳述はこれを省略する。
図１は、前述した携帯式ラベル貼付け機１に装備する本発明の実施例によるラベル貼付け装置３０の要部拡大斜視図、図２は、同、要部拡大側面図である。
ラベル貼付け装置３０においては、ラベル受け部材としてラベル受けピン２１に代わって、ラベル受けローラー３１を採用し、その回転軸３２のまわりに回転可能とするとともに、ラベル受けローラー３１を貼付けローラー２２と連動させる。
【００３１】
具体的には、貼付けローラー２２に同軸で一体の第１のギア３３と、ラベル受けローラー３１に同軸で一体の第２のギア３４と、を互いにかみ合わせて、ラベル受けローラー３１と貼付けローラー２２とを連動可能とし、貼付けローラー２２の回転をラベル受けローラー３１に伝達可能としている。
なお、第１のギア３３および第２のギア３４のかみ合わせ構造としては、貼付けローラー２２およびラベル受けローラー３１の片端部のみでもよいし、その両端部にこれを採用することもできる。
【００３２】
こうした構成のラベル貼付け装置３０において、携帯式ラベル貼付け機１によるラベル貼付け動作、すなわち、操作者がグリップ１０を持って携帯式ラベル貼付け機１全体を被貼付け体Ｍに打ち付けるとともに手前に引くように、詳細には、貼付けローラー２２が被貼付け体Ｍの表面上を転がるように、図２中時計方向に回転させると、第１のギア３３および第２のギア３４の連動によりラベル受けローラー３１が反時計方向すなわち、ラベル片１４の送り出し方向に回転し、ラベル片１４をその回転分だけ側板２の外方に飛び出させるようにする。
したがって、ラベル受けローラー３１は、ラベル片１４の上流側端部１４Ａを仮保持しているとともに、ラベル片１４の下流側端部１４Ｂを貼付けローラー２２の下方部に位置可能な状態に保持しつつ、ラベル片１４をその仮保持位置より側板２の外部に排出可能とし、側板２外部に露出しているラベル片１４の長さを長くすることができる。
【００３３】
かくして、貼付けローラー２２の回転をラベル受けローラー３１に伝達可能とし、ラベル受けローラー３１を所定量だけ回転させ、ラベル片１４をその仮保持位置より側板２の外部に排出した状態で、貼付けローラー２２によりラベル片１４を貼り付けることができる。
【００３４】
なお本発明においては、ラベル受けローラー３１と貼付けローラー２２とは、第１のギア３３および第２のギア３４などのギア構造ではなく、摩擦係数の大きな摩擦ローラー（図示せず）によりこれを連動させることもできる。
【００３５】
図３は、台紙なしラベル３５を移送して貼り付ける構成に、上述のラベル貼付け装置３０を応用した例を示す要部拡大側面図である。
すなわち、被剥離性の表面を有する無端ベルト３６を回転駆動軸３７の回転にともなってラベル受けローラー３１の部分まで台紙なしラベル３５を移送し、単葉状態の台紙なしラベル３５の上流側端部３５Ａをラベル受けローラー３１に仮保持しているとともに、台紙なしラベル３５の下流側端部３５Ｂを貼付けローラー２２の下方部に位置可能な状態に保持している。
既述のように、貼付けローラー２２とラベル受けローラー３１とは、第１のギア３３および第２のギア３４により連動可能となっている。
【００３６】
かくすれば、台紙なしラベル３５のような構成のラベルであっても、貼付けローラー２２の貼付け操作にともなって、台紙なしラベル３５を側板２の外方へ飛び出させる長さをより長くして、携帯式ラベル貼付け機１の姿勢に応じて貼り付けることができる範囲を拡大し、台紙なしラベル３５のピッチが比較的小さくても、容易かつ安定した貼付け操作を実現可能とする。
【符号の説明】
【００３７】
１  携帯式ラベル貼付け機（図４）
２  左右一対の側板
３  ラベル
４  保持部
５  操作レバー
５Ａ  操作レバー５のヨーク部
６  移送部
７  印字部
８  剥離部
９  貼付け部
１０  グリップ
１１  レバー軸
１２  コイルスプリング
１３  台紙
１４  ラベル片
１４Ａ  ラベル片１４の上流側端部（図２）
１４Ｂ  ラベル片１４の下流側端部
１５  保持板
１６  ローラー軸
１７  移送ローラー
１８  印字器
１９  プラテン
１９Ａ  プラテン１９の剥離用転向稜
２０  インキローラー
２１  ラベル受けピン
２２  貼付けローラー
２３  貼付けローラー２２のローラー軸
３０  携帯式ラベル貼付け機１におけるラベル貼付け装置（実施例、図１、図２）
３１  ラベル受けローラー（ラベル受け部材）
３２  ラベル受けローラー３１の回転軸
３３  第１のギア
３４  第２のギア
３５  台紙なしラベル（図３）
３５Ａ  台紙なしラベル３５の上流側端部
３５Ｂ  台紙なしラベル３５の下流側端部
３６  無端ベルト
３７  回転駆動軸
Ｍ    被貼付け体（図２、図５）
【図１】
0005441761.tif 000002
【図２】
0005441761.tif 000003
【図３】
0005441761.tif 000004
【図４】
0005441761.tif 000005
【図５】
0005441761.tif 000006